(57)【要約】【課題】部品点数の削減が図れて、組み立てが容易になり、薄型化も図れる摺動式電子部品を提供する。【解決手段】回転つまみ（摺動つまみ）３０と、開口１３を有するケース１０と、回転つまみ３０の下側に設置されるフレキシブル基板６０と、フレキシブル基板６０を載置する取付板８０と、回転つまみ３０とフレキシブル基板６０との間に設置される電気的機能部（摺動子５０等）とを具備する。回転つまみ３０は回転軸（摺動軸）３３を取付板８０に設けた軸受穴８３に回動自在（摺動自在）に挿入することで軸支されると共に、回転つまみ３０の外周から半径方向外側に向けて突出したつば部４１を、ケース１０の下面に下向きに設けた当接部１７と取付板８０との間に挟持することで回転つまみ３０の上下方向の移動が規制される。取付板８０に設けたクリック用弾接部８７を回転つまみ３０の外周に設けたクリック係合部４３に係合させてなるクリック機構を設ける。【選択図】図１
2005317740.tif 000002
【特許請求の範囲】
【請求項１】
摺動つまみと、
前記摺動つまみの下側に設置される基板と、
前記基板を載置する取付板と、
前記摺動つまみと基板との間に設置される電気的機能部とを具備し、
前記取付板に設けたクリック用弾接部を摺動つまみの外周に設けたクリック係合部に係合させてなるクリック機構を設けることにより、前記摺動つまみを摺動する際にクリック感覚を生じさせることを特徴とする摺動式電子部品。
【請求項２】
前記摺動式電子部品は、前記摺動つまみの上面を露出する開口を有するケースを具備するとともに、このケースに前記取付板を取り付けたことを特徴とする請求項１に記載の摺動式電子部品。
【請求項３】
前記摺動つまみは、この摺動つまみの下面に設けた摺動軸を前記取付板に設けた軸受穴に摺動自在に挿入することで軸支されると共に、前記摺動つまみの外周から外側に向けて突出したつば部に前記クリック係合部が設けられ、このつば部を前記ケースの下面に下向きに設けた当接部と前記取付板との間に挟持することで摺動つまみの上下方向の移動が規制されることを特徴とする請求項２に記載の摺動式電子部品。
【請求項４】
前記摺動式電子部品は回転式電子部品であり、前記摺動つまみは回転つまみであり、
この回転つまみは、この回転つまみの外周から半径方向外側に向けて突出したつば部に前記クリック係合部が設けられ、このつば部を前記ケースの下面に下向きに設けた当接部と前記取付板との間に挟持することで回転つまみの上下方向の移動が規制されると共に、前記ケースの下面の当接部の外周側に設けた軸支部の内側面によって回転つまみのつば部の外周側面を回転自在に軸支したことを特徴とする請求項２に記載の摺動式電子部品。
【請求項５】
前記摺動式電子部品は回転式電子部品であり、前記摺動つまみは回転つまみであり、
この回転つまみは、この回転つまみの外周から半径方向外側に向けて突出したつば部に前記クリック係合部が設けられ、且つこの回転つまみの下面に設けた回転軸を前記取付板に設けた軸受穴に回動自在に挿入することで軸支すると共に、前記軸支穴に挿入した回転軸を取付板の下面側で取付板に対して回動自在に固定することで回転つまみの上下方向の移動を規制したことを特徴とする請求項１に記載の摺動式電子部品。
【発明の詳細な説明】
【技術分野】
【０００１】
本発明は、回転つまみ等の摺動つまみを摺動（回転等）することでその電気的出力を変化する摺動式電子部品に関するものである。
【背景技術】
【０００２】
従来、回転式電子部品の中には、回転つまみを回転（摺動）することでその電気的出力を変化する構造のものがある（特許文献１）。この種の回転式電子部品は、ケースの下面側に摺動子を取り付けた摺動型物を設置し、ケースの上面側に前記摺動型物と一体に回転するつまみを設置し、さらに前記摺動型物の下側に基板を設置して構成されていた。そして前記回転つまみを回転すれば、これと一体に摺動型物が回転し、摺動型物に取り付けている摺動子が前記基板上に設けたパターン上を摺動し、これによってその電気的出力を変化する。なお回転つまみを回転した際にクリック感覚を生じさせるためには、さらにクリック機構用の板バネとこの板バネを係合離脱する凹凸部を設けたクリック板を取り付ける必要がある。
【０００３】
しかしながら上記従来の回転式電子部品においては、部品点数が多く、組み立てが煩雑であるばかりか、薄型化も図りにくいという問題点があった。
【特許文献１】特開２００２−１９０４０３号公報
【発明の開示】
【発明が解決しようとする課題】
【０００４】
本発明は上述の点に鑑みてなされたものでありその目的は、部品点数の削減が図れて、組み立てが容易になり、また薄型化も図れる摺動式電子部品を提供することにある。
【課題を解決するための手段】
【０００５】
本願請求項１に記載の発明は、摺動つまみと、前記摺動つまみの下側に設置される基板と、前記基板を載置する取付板と、前記摺動つまみと基板との間に設置される電気的機能部とを具備し、前記取付板に設けたクリック用弾接部を摺動つまみの外周に設けたクリック係合部に係合させてなるクリック機構を設けることにより、前記摺動つまみを摺動する際にクリック感覚を生じさせることを特徴とする摺動式電子部品にある。
【０００６】
本願請求項２に記載の発明は、前記摺動式電子部品は、前記摺動つまみの上面を露出する開口を有するケースを具備するとともに、このケースに前記取付板を取り付けたことを特徴とする請求項１に記載の摺動式電子部品にある。
【０００７】
本願請求項３に記載の発明は、前記摺動つまみは、この摺動つまみの下面に設けた摺動軸を前記取付板に設けた軸受穴に摺動自在に挿入することで軸支されると共に、前記摺動つまみの外周から外側に向けて突出したつば部に前記クリック係合部が設けられ、このつば部を前記ケースの下面に下向きに設けた当接部と前記取付板との間に挟持することで摺動つまみの上下方向の移動が規制されることを特徴とする請求項２に記載の摺動式電子部品にある。
【０００８】
本願請求項４に記載の発明は、前記摺動式電子部品は回転式電子部品であり、前記摺動つまみは回転つまみであり、この回転つまみは、この回転つまみの外周から半径方向外側に向けて突出したつば部に前記クリック係合部が設けられ、このつば部を前記ケースの下面に下向きに設けた当接部と前記取付板との間に挟持することで回転つまみの上下方向の移動が規制されると共に、前記ケースの下面の当接部の外周側に設けた軸支部の内側面によって回転つまみのつば部の外周側面を回転自在に軸支したことを特徴とする請求項２に記載の摺動式電子部品にある。
【０００９】
本願請求項５に記載の発明は、前記摺動式電子部品は回転式電子部品であり、前記摺動つまみは回転つまみであり、この回転つまみは、この回転つまみの外周から半径方向外側に向けて突出したつば部に前記クリック係合部が設けられ、且つこの回転つまみの下面に設けた回転軸を前記取付板に設けた軸受穴に回動自在に挿入することで軸支すると共に、前記軸支穴に挿入した回転軸を取付板の下面側で取付板に対して回動自在に固定することで回転つまみの上下方向の移動を規制したことを特徴とする請求項１に記載の摺動式電子部品にある。
【発明の効果】
【００１０】
請求項１に記載の発明によれば、摺動つまみと、基板と、基板を載置する取付板と、電気的機能部とによってクリック機構付きの摺動式電子部品が構成でき、部品点数の削減が図れ、これによって薄型化が図れると同時に組み立て工数も減って組み立て作業が容易になる。
【００１１】
請求項２に記載の発明によれば、摺動つまみと、ケースと、基板と、基板を載置する取付板と、電気的機能部とによってケースに固定されるクリック機構付きの摺動式電子部品が構成でき、部品点数の削減が図れ、これによって薄型化が図れると同時に、組み立て工数も減って組み立て作業が容易になる。
【００１２】
請求項３に記載の発明によれば、摺動つまみの摺動方向の軸支と、摺動つまみの上下方向の固定とが、摺動つまみに設けた摺動軸及びつば部を利用して、取付板及びケースによって行われるので、部品点数が増加することなく、前記摺動つまみの摺動自在な固定が容易に行なえる。
【００１３】
請求項４に記載の発明によれば、回転つまみの回転方向の軸支と、回転つまみの上下方向の固定とが、回転つまみに設けたつば部を利用して、取付板及びケースによって行われるので、部品点数が増加することなく、前記回転つまみの回転自在な固定が容易に行なえる。
【００１４】
請求項５に記載の発明によれば、回転つまみの回転方向の軸支と、回転つまみの上下方向の固定とが、回転つまみに設けた回転軸を利用して、取付板によって行われるので、部品点数が増加することなく、前記回転つまみの回転自在な固定が容易に行なえる。
【発明を実施するための最良の形態】
【００１５】
以下、本発明の実施形態を図面に基づいて詳細に説明する。
〔第一実施形態〕
図１は本発明の第一実施形態にかかる摺動式電子部品（以下「回転式電子部品」という）１−１の分解斜視図、図２は回転式電子部品１−１の概略断面図（但し図示の都合上、切断面は任意に変更してある）である。図１に示すようにこの回転式電子部品１−１は、ケース１０の下側に、摺動子５０を取り付けた回転つまみ３０と、基板（以下この実施形態では「フレキシブル基板」という）６０と、取付板８０とを取り付けて構成されている。以下各構成部品について説明する。
【００１６】
ケース（外装ケース）１０は合成樹脂を板状に成形して構成されており、その所定位置には下記する回転つまみ３０のつまみ本体３１を挿入する円形の貫通孔からなる開口１３が設けられている。ケース１０の下面の開口１３の周囲には、円筒状に突出する突出部１５が設けられ、突出部１５の下面は当接部１７となっている。つまり当接部１７はケース１０の下面に下向きに設けられている。一方ケース１０の下面の前記突出部１５の外側には、これを囲むように四つの円柱状の取付部１９が突出して設けられている。各取付部１９の下端面にはネジ止め穴２１が設けられている。
【００１７】
回転つまみ３０は合成樹脂を成形して構成されており、円板状の上板の外周から円筒状に側壁部３１ａを垂下してなるつまみ本体３１と、つまみ本体３１の下面中央から突出する円筒状の回転軸３３と、つまみ本体３１の下面の所定位置から突出する略四角柱状の摺動子取付部３５とを具備して構成されている。摺動子取付部３５の下面は凹状の摺動子取付面３７となっており、この摺動子取付面３７上には小突起状の摺動子固定部３９が設けられている。また回転つまみ３０のつまみ本体３１の下部外周から半径方向外側に向けて突出するようにリング状のつば部４１が設けられている。つば部４１の外周側面（これは回転つまみ３０の外周側面でもある）はクリック係合部４３となっていて、クリック係合部４３中には等間隔に凹状に切り欠いてなる複数のクリック用凹部４５が設けられている。
【００１８】
摺動子５０は弾性金属板製であり、基部５１からＵ字状に折れ曲がるように二本の弾接部５３，５３を突出して設け、また基部５１には取付孔５７を設けて構成されている。
【００１９】
フレキシブル基板６０は可撓性を有する合成樹脂フイルム６１の上面の前記摺動子５０に対向する位置に、スイッチパターンや抵抗体パターンからなる摺接パターン６３，６３（図２参照）を設け、また前記回転つまみ３０の回転軸３３に対向する位置には円形の貫通孔６５が設けられている。貫通孔６５は、回転軸３３の外径寸法よりも若干大きい内径寸法に形成されている。
【００２０】
取付板８０は前記フレキシブル基板６０を載置する形状寸法の剛性を有する平板状の金属板で構成され、前記回転つまみ３０の回転軸３３に対向する位置には軸受穴８３が設けられている。この軸受穴８３は開口の周囲を下方向に少し円筒状に突出させるように加工して構成されており、その内径を前記回転つまみ３０の回転軸３３の外径寸法と略同一寸法に形成している。一方取付板８０の前記ケース１０のネジ止め穴２１に対向する位置には、それぞれ貫通する小孔からなる挿通部８５が設けられている。また取付板８０の外周辺には取付板８０と一体に設けられた上方（回転つまみ３０方向）に向かって立設している下方に向く帯状でつながっている略コの字形状のクリック用弾接部８７が設けられている。クリック用弾接部８７の中央には回転中心軸Ｌ（図２参照）に向かって突出する突起からなる弾接部８９が設けられている。
【００２１】
次にこの回転式電子部品１−１を組み立てるには、まず予め回転つまみ３０の摺動子取付面３７上に摺動子５０の基部５１を載置し、その際基部５１に設けた取付孔５７に貫通した摺動子固定部３９の先端を熱カシメすることで、摺動子５０を回転つまみ３０に固定する。
【００２２】
そしてケース１０の開口１３にその下面側から回転つまみ３０のつまみ本体３１を挿入する。このとき回転つまみ３０のつば部４１の上面をケース１０の当接部１７に当接する。なお、両者の当接は回転つまみ３０の回転動作を妨げない程度の軽い当接である。
【００２３】
次に回転つまみ３０の下面側に、フレキシブル基板６０を載置した取付板８０を配置し、その際取付板８０に設けた軸受穴８３にフレキシブル基板６０の貫通孔６５を貫通した回転軸３３の先端を回動自在に挿入する。このとき取付板８０に設けたクリック用弾接部８７の弾接部８９は、回転つまみ３０のクリック係合部４３に弾接する。
【００２４】
そして取付板８０の各挿通部８５にその下面側からネジ９０を挿入してそのネジ部９１をケース１０のネジ止め穴２１に螺合してネジ止めすれば、この回転式電子部品１−１が完成する。
【００２５】
以上のようにして組み立てられた回転式電子部品１−１は、図２に示すように、回転つまみ３０の回転軸３３の先端が取付板８０の軸受穴８３に回動自在に軸支され、また回転つまみ３０のつば部４１はケース１０の当接部１７と取付板８０との間に挟持されて回転つまみ３０の上下方向（この実施形態では回転中心軸Ｌ方向）への移動が規制され、これによって回転つまみ３０は回動自在に位置決めされる。また取付板８０に設けた回転半径方向に弾性変形するクリック用弾接部８７は弾接部８９を介して回転つまみ３０のクリック係合部４３に弾接しており、これによってクリック機構が構成されている。またこのとき摺動子５０の弾接部５３，５３はフレキシブル基板６０の摺接パターン６３，６３に弾接しており、これによって電気的機能部が構成されている。
【００２６】
つまりこの第一実施形態には、本願請求項１に記載の、回転つまみ（摺動つまみ）３０と、回転つまみ３０の下側に設置されるフレキシブル基板６０と、フレキシブル基板６０を載置する取付板８０と、回転つまみ３０とフレキシブル基板６０との間に設置される電気的機能部（摺動子５０と摺接パターン６３，６３）とを具備し、取付板８０に設けたクリック用弾接部８７を回転つまみ３０の外周に設けたクリック係合部４３に係合させてなるクリック機構を設けることにより、回転つまみ３０を回転する際にクリック感覚を生じさせる回転式電子部品（摺動式電子部品）１−１、が開示されている。またこの第一実施形態には、本願請求項２に記載の、前記回転式電子部品（摺動式電子部品）１−１は、回転つまみ３０の上面を露出する開口１３を有するケース１０を具備するとともに、このケース１０に取付板８０を取り付けた構成、が開示されている。またこの第一実施形態には、本願請求項３に記載の、回転つまみ３０は、この回転つまみ３０の下面に設けた回転軸（摺動軸）３３を取付板８０に設けた軸受穴８３に回動自在（摺動自在）に挿入することで軸支されると共に、回転つまみ３０の外周から半径方向外側に向けて突出したつば部４１にクリック係合部４３が設けられ、このつば部４１をケース１０の下面に下向きに設けた当接部１７と取付板８０との間に挟持することで回転つまみ３０の上下方向（回転中心軸Ｌ方向）の移動が規制される構成、が開示されている。
【００２７】
そして以上のように構成された回転式電子部品１−１において、回転つまみ３０を回転すると、摺動子５０が摺接パターン６３，６３上を摺動し、その電気的出力が変化する。即ち摺接パターン６３，６３がスイッチパターンであればスイッチが切り替わり、摺接パターン６３，６３が抵抗体パターンであれば抵抗値が変化する。同時にクリック用弾接部８７の弾接部８９がクリック係合部４３のクリック用凹部４５に係合・離脱することで、その回転にクリック感覚を生じる。
【００２８】
上記構成の回転式電子部品１−１によれば、回転つまみ３０自体に摺動子５０を取り付けることで回転つまみ３０自体に摺動型物の機能を持たせたので、摺動型物を省略できる。またフレキシブル基板６０を載置するために設置した取付板８０自体にクリック用弾接部８７を設け、このクリック用弾接部８７を回転つまみ３０の外周に設けたクリック係合部４３に係合させることでクリック機構を構成したのでクリック機構のために別途部品が増えることもない。つまりこの実施形態においては、回転つまみ３０と、回転つまみ３０を露出するケース１０と、フレキシブル基板６０と、フレキシブル基板６０を載置する取付板８０のみによって、ケース１０に固定されるクリック機構付きの回転式電子部品１−１が構成でき、部品点数の削減が図れ、これによって薄型化が図れると同時に組み立て工数も減って組み立て作業が容易になる。
【００２９】
ところで上記第一実施形態では本発明にかかる摺動式電子部品を回転式電子部品に適用した例を説明したが、本発明はこれに限定されず、例えば一方向に沿って移動（摺動）するスライド式電子部品にも本発明は適用できる。具体的には、回転式電子部品１−１における開口１３を回転つまみ（この場合はスライドつまみ）３０が一方向に直線状にスライド移動できる開口（例えば長方形状の開口）とし、それと共につば部４１も一方向にスライド移動してクリック用弾接部８７にクリック係合すべく、例えば直線状に変形し、さらに貫通孔６５、軸受穴８３もスライドできる形状（例えば長方形状）に変形すれば良い。
【００３０】
〔第二実施形態〕
図３は本発明の第二実施形態にかかる回転式電子部品１−２の分解斜視図、図４は回転式電子部品１−２の概略断面図（但し図示の都合上、切断面は任意に変更してある）である。図３に示すようにこの回転式電子部品１−２は、ケース１０−２の下側に、摺動子５０−２を取り付けた回転つまみ３０−２と、基板（以下この実施形態では「フレキシブル基板」という）６０−２と、取付板８０−２とを取り付けて構成されている。以下各構成部品について説明する。なお各構成部品において前記第一実施形態と同一部分には同一符号を付す。
【００３１】
ケース１０−２は合成樹脂を板状に成形して構成されており、その所定位置には下記する回転つまみ３０−２のつまみ本体３１を挿入する円形の貫通孔からなる開口１３が設けられている。ケース１０−２の下面の開口１３の周囲には、円筒状に突出する突出部１５が設けられ、突出部１５の下面は当接部１７となっている。当接部１７はケース１０の下面に下向きに設けられている。またこの実施形態においては、ケース１０−２の下面の前記突出部１５の外周側に、三つの円弧状に突出する板状の軸支部２３が設けられている。これら軸支部２３は前記突出部１５下面の当接部１７よりもさらに少し下方向に突出する高さ寸法を有し、少なくとも各軸支部２３の当接部１７よりも下方向に突出している部分の内側面２３１は、その全体が一つの円を形成しており、この円の内径は、下記する回転つまみ３０−２のつば部４１の外径寸法と略同一に形成されている。
【００３２】
回転つまみ３０−２は合成樹脂を成形して構成されており、円板状の上板の外周から円筒状に側壁部３１ａを垂下してなるつまみ本体３１と、つまみ本体３１の下面の所定位置から突出する略四角柱状の摺動子取付部３５とを具備している。摺動子取付部３５の下面は凹状の摺動子取付面３７となっており、この摺動子取付面３７上には小突起状の摺動子固定部３９が設けられている。また回転つまみ３０−２のつまみ本体３１の下部外周から半径方向外側に向けて突出するようにリング状のつば部４１が設けられている。つば部４１の外周側面（これは回転つまみ３０の外周側面でもある）はクリック係合部４３となっていて、クリック係合部４３中には等間隔に凹状に切り欠いてなる複数のクリック用凹部４５が設けられている。
【００３３】
摺動子５０は弾性金属板製であり、基部５１からＵ字状に折れ曲がるように二本の弾接部５３，５３を突出して設け、また基部５１には取付孔５７を設けて構成されている。
【００３４】
フレキシブル基板６０−２は可撓性を有する合成樹脂フイルム６１の上面の前記摺動子５０に対向する位置に、スイッチパターンや抵抗体パターンからなる摺接パターン６３，６３（図４参照）を設けている。
【００３５】
取付板８０−２は前記フレキシブル基板６０を載置する形状寸法の剛性を有する金属板で構成され、取付板８０−２の前記ケース１０−２の各ネジ止め穴２１に対向する位置には、それぞれ貫通する小孔からなる挿通部８５が設けられている。また取付板８０−２の外周辺には取付板８０−２と一体に設けられた上方（回転つまみ３０−２方向）に向かって立設している略下方向に向く帯状でつながっている略コの字形状のクリック用弾接部８７が設けられている。クリック用弾接部８７の中央には回転中心軸Ｌ（図４参照）に向かって突出する突起からなる弾接部８９が設けられている。
【００３６】
次にこの回転式電子部品１−２を組み立てるには、まず予め回転つまみ３０−２の摺動子取付面３７上に摺動子５０−２の基部５１を載置し、その際基部５１に設けた取付孔５７に貫通した摺動子固定部３９の先端を熱カシメすることで、摺動子５０−２を回転つまみ３０−２に固定する。
【００３７】
そしてケース１０−２の開口１３にその下面側から回転つまみ３０−２のつまみ本体３１を挿入する。このとき回転つまみ３０−２のつば部４１の上面をケース１０−２の当接部１７に当接し、同時につば部４１の外周側面、即ちクリック係合部４３の面を軸支部２３の当接部１７よりも下方向に突出している部分の内側に挿入する。このとき軸支部２３の内側面２３１は回転つまみ３０−２のつば部４１の外径寸法と略同一に形成されているので、つば部４１の外周側面は軸支部２３の内側面２３１に摺接し、これによって回転つまみ３０はケース１０に回動自在に軸支される。なお、つば部４１の上面と当接部１７との当接は回転つまみ３０の回転動作を妨げない程度の軽い当接である。
【００３８】
次に回転つまみ３０−２の下面側に、フレキシブル基板６０−２を載置した取付板８０−２を配置する。このとき取付板８０−２に設けたクリック用弾接部８７の弾接部８９は、回転つまみ３０−２のクリック係合部４３に弾接する。
【００３９】
そして取付板８０−２の各挿通部８５にその下面側からネジ９０を挿入してそのネジ部９１をケース１０−２のネジ止め穴２１に螺合してネジ止めすれば、この回転式電子部品１−２が完成する。
【００４０】
以上のようにして組み立てられた回転式電子部品１−２は、図４に示すように、回転つまみ３０−２の外周側面であるつば部４１の外周側面がケース１０−２の軸支部２３の内側面２３１に回動自在に軸支され、また回転つまみ３０−２のつば部４１はケース１０−２の当接部１７と取付板８０−２との間に挟持されて回転つまみ３０−２の上下方向（回転軸Ｌ方向）への移動が規制され、これによって回転つまみ３０−２は回動自在に位置決めされる。また取付板８０−２に設けた回転半径方向に弾性変形するクリック用弾接部８７は弾接部８９を介して回転つまみ３０−２のクリック係合部４３に弾接している。またこのとき摺動子５０−２の弾接部５３，５３はフレキシブル基板６０−２の摺接パターン６３，６３に弾接しており、これによって電気的機能部が構成されている。
【００４１】
つまり第二実施形態には、本願請求項１に記載の、回転つまみ３０−２と、回転つまみ３０−２の下側に設置されるフレキシブル基板６０−２と、フレキシブル基板６０−２を載置する取付板８０−２と、回転つまみ３０−２とフレキシブル基板６０−２との間に設置される電気的機能部（摺動子５０と摺接パターン６３，６３）とを具備し、取付板８０−２に設けたクリック用弾接部８７を回転つまみ３０−２の外周に設けたクリック係合部４３に係合させてなるクリック機構を設けることにより、回転つまみ３０−２を回転する際にクリック感覚を生じさせる回転式電子部品１−２、が開示されている。またこの第二実施形態には、本願請求項２に記載の、前記回転式電子部品１−２は、回転つまみ３０−２の上面を露出する開口１３を有するケース１０−２を具備するとともに、このケース１０−２に取付板８０−２を取り付けた構成、が開示されている。またこの第二実施形態には、本願請求項４に記載の、前記回転つまみ３０−２は、回転つまみ３０−２の外周から半径方向外側に向けて突出したつば部４１にクリック係合部４３が設けられ、このつば部４３をケース１０−２の下面に下向きに設けた当接部１７と取付板８０−２との間に挟持することで回転つまみ３０−２の上下方向（回転中心軸Ｌ方向）の移動が規制されると共に、ケース１０−２の下面の当接部１７の外周側に設けた軸支部２３の内側面２３１によって回転つまみ３０−２のつば部４１の外周側面を回転自在に軸支した構成、が開示されている。
【００４２】
そして以上のように構成された回転式電子部品１−２において、回転つまみ３０−２を回転すると、摺動子５０−２が摺接パターン６３，６３上を摺動し、その電気的出力を変化する。同時にクリック用弾接部８７の弾接部８９がクリック係合部４３のクリック用凹部４５に係合・離脱することで、その回転にクリック感覚を生じる。
【００４３】
上記構成の回転式電子部品１−２によれば、回転つまみ３０−２自体に摺動子５０−２を取り付けることで回転つまみ３０−２自体に摺動型物の機能を持たせたので、摺動型物を省略できる。またフレキシブル基板６０−２を載置するために設置した取付板８０−２自体にクリック用弾接部８７を設け、このクリック用弾接部８７を回転つまみ３０−２の外周に設けたクリック係合部４３に係合させることでクリック機構を構成したのでクリック機構のために別途部品が増えることもない。つまりこの実施形態においては、回転つまみ３０−２と、回転つまみ３０−２を露出するケース１０−２と、フレキシブル基板６０−２と、フレキシブル基板６０−２を載置する取付板８０−２のみによって、ケース１０−２に固定されるクリック機構付きの回転式電子部品１−２が構成でき、部品点数の削減が図れ、これによって薄型化が図れると同時に、組み立て工数も減って組み立て作業が容易になる。
【００４４】
なおこの実施形態は、第一実施形態と相違し、回転つまみ３０−２の下面中央に回転軸３３を設けていないので、回転つまみ３０−２の下面中央にスペースが生じる。そこで例えばこのスペースを利用して、この回転式電子部品の中央に押釦スイッチ等の他の機構を設置しても良い。具体的に言えば、回転つまみ３０−２の中央に開口を設け、この開口内に押釦つまみを上下動自在に収納してその上面を回転つまみ３０−２の表面に露出すると同時に、この押釦つまみの真下のフレキシブル基板６０−２上に前記押釦つまみの押圧部によってオンオフされるスイッチ接点を設置して構成する。
【００４５】
〔第三実施形態〕
図５は本発明の第三実施形態にかかる回転式電子部品１−３の分解斜視図、図６は回転式電子部品１−３の概略断面図（但し図示の都合上、切断面は任意に変更してある）である。図５に示すようにこの回転式電子部品１−３は、摺動子５０−３を取り付けた回転つまみ３０−３と、基板（以下この実施形態では「フレキシブル基板」という）６０−３と、取付板８０−３と、固定部材１００−３とを具備して構成されている。以下各構成部品について説明する。
【００４６】
回転つまみ３０−３は合成樹脂を成形して構成されており、円板状の上板の外周から円筒状に側壁部３１ａを垂下してなるつまみ本体３１と、つまみ本体３１の下面中央から突出する円筒状の回転軸３３と、つまみ本体３１の下面の所定位置から突出する略四角柱状の摺動子取付部３５とを具備して構成されている。摺動子取付部３５の下面は凹状の摺動子取付面３７となっており、この摺動子取付面３７上には小突起状の摺動子固定部３９が設けられている。また回転つまみ３０−３のつまみ本体３１の下部外周から半径方向外側に向けて突出するようにリング状のつば部４１が設けられている。つば部４１の外周側面（これは回転つまみ３０−３の外周側面でもある）はクリック係合部４３となっていて、クリック係合部４３中には等間隔に凹状に切り欠いてなる複数のクリック用凹部４５が設けられている。また回転軸３３の下面中央には、ネジを螺合するネジ止め穴４７が設けられている。
【００４７】
摺動子５０は弾性金属板製であり、基部５１からＵ字状に折れ曲がるように二本の弾接部５３，５３を突出して設け、また基部５１には取付孔５７を設けて構成されている。
【００４８】
フレキシブル基板６０−３は可撓性を有する合成樹脂フイルム６１の上面の前記摺動子５０に対向する位置に、スイッチパターンや抵抗体パターンからなる摺接パターン６３，６３（図６参照）を設け、また前記回転つまみ３０−３の回転軸３３に対向する位置には円形の貫通孔６５が設けられている。貫通孔６５は、回転軸３３の外径寸法よりも若干大きい内径寸法に形成されている。
【００４９】
取付板８０−３は前記フレキシブル基板６０−３を載置する形状寸法の剛性を有する金属板で構成され、前記回転つまみ３０−３の回転軸３３に対向する位置には軸受穴８３が設けられている。この軸受穴８３は開口の周囲を下方向に少し円筒状に突出させるように加工して構成されており、その内径を前記回転つまみ３０−３の回転軸３３の外径寸法と略同一寸法に形成している。一方取付板８０−３の外周辺には取付板８０−３と一体に設けられた上方（回転つまみ３０−３方向）に向かって立設している略下方に向く帯状でつながっている略コの字形状のクリック用弾接部８７が設けられている。クリック用弾接部８７の中央には、回転中心軸Ｌ（図６参照）に向かって突出する突起からなる弾接部８９が設けられている。
【００５０】
固定部材１００−３は、金属又は成形樹脂を略円板状に形成して構成されており、その中央には貫通孔１０１が設けられ、またその上面には前記取付板８０−３の下面側に突出する軸受穴８３を収納する凹部１０３（図６参照）が設けられている。
【００５１】
次にこの回転式電子部品１−３を組み立てるには、図５において、まず予め回転つまみ３０−３の摺動子取付面３７上に摺動子５０−３の基部５１を載置し、その際基部５１に設けた取付孔５７に貫通した摺動子固定部３９の先端を熱カシメすることで、摺動子５０−３を回転つまみ３０−３に固定する。
【００５２】
次に回転つまみ３０−３の下面側に、フレキシブル基板６０−３を載置した取付板８０−３を配置し、その際取付板８０−３に設けた軸受穴８３にフレキシブル基板６０−３の貫通孔６５を貫通した回転軸３３の先端を回動自在に挿入する。このとき取付板８０−３に設けたクリック用弾接部８７の弾接部８９は、回転つまみ３０−３のクリック係合部４３に弾接する。
【００５３】
そして取付板８０−３の軸受穴８３をその下面側から塞ぐように固定部材１００−３を設置し、固定部材１００−３に設けた貫通孔１０１にその下側からネジ１１０を挿入してそのネジ部１１１を回転つまみ３０−３のネジ止め穴４７に螺合してネジ止めすれば、この回転式電子部品１−３が完成する。
【００５４】
以上のようにして組み立てられた回転式電子部品１−３は、図６に示すように、回転つまみ３０−３の回転軸３３の先端が取付板８０−３の軸受穴８３に回動自在に軸支され、また回転つまみ３０−３は固定部材１００−３によって取付板８０−３等に一体化され、これによって回転つまみ３０−３は取付板８０−３上に回動自在に位置決めされる。また取付板８０−３に設けた回転半径方向に弾性変形するクリック用弾接部８７は弾接部８９を介して回転つまみ３０−３のクリック係合部４３に弾接している。またこのとき摺動子５０−３の弾接部５３，５３はフレキシブル基板６０−３の摺接パターン６３，６３に弾接しており、これによって電気的機能部が構成されている。
【００５５】
なおこの回転式電子部品１−３を構成するのに、ケース１０−３は不要であるが、実際にこの回転式電子部品１−３を電気機器に装着する場合は、図６に示すように、ケース１０−３の開口１３内に回転式電子部品１−３の回転つまみ３０−３の上面が露出するように、この回転式電子部品１−３をケース１０−３に対して設置し、前記各実施形態と同様に、取付板８０−３に別途設けた挿通部８５（図５には示さず）にその下面側からネジ９０を挿入してそのネジ部９１をケース１０−３に設けたネジ止め穴２１に螺合してネジ止めすればよい。
【００５６】
つまりこの第三実施形態には、本願請求項１に記載の、回転つまみ３０−３と、回転つまみ３０−３の下側に設置されるフレキシブル基板６０−３と、フレキシブル基板６０−３を載置する取付板８０−３と、回転つまみ３０−３とフレキシブル基板６０−３との間に設置される電気的機能部（摺動子５０−３と摺接パターン６３，６３）とを具備し、取付板８０−３に設けたクリック用弾接部８７を回転つまみ３０−３の外周に設けたクリック係合部４３に係合させてなるクリック機構を設けることにより、回転つまみ３０−３を回転する際にクリック感覚を生じさせる回転式電子部品１−３、が開示されている。またこの第三実施形態には、本願請求項５に記載の、前記回転つまみ３０−３は、この回転つまみ３０−３の外周から半径方向外側に向けて突出したつば部４１にクリック係合部４３が設けられ、且つこの回転つまみ３０−３の下面に設けた回転軸３３を取付板８０−３に設けた軸受穴８３に回動自在に挿入することで軸支されると共に、軸支穴８３に挿入した回転軸３３を取付板８０−３の下面側で取付板８０−３に対して回動自在に固定することで回転つまみ３０−３の上下方向（回転中心軸Ｌ方向）の移動を規制した構成、が開示されている。
【００５７】
そして以上のように構成された回転式電子部品１−３において、回転つまみ３０−３を回転すると、摺動子５０−３が摺接パターン６３，６３上を摺動し、その電気的出力を変化する。即ち摺接パターン６３，６３がスイッチパターンであればスイッチが切り替わり、摺接パターン６３，６３が抵抗体パターンであれば抵抗値が変化する。同時にクリック用弾接部８７の弾接部８９がクリック係合部４３のクリック用凹部４５に係合・離脱することで、その回転にクリック感覚を生じる。
【００５８】
上記構成の回転式電子部品１−３によれば、回転つまみ３０−３自体に摺動子５０−３を取り付けることで回転つまみ３０−３自体に摺動型物の機能を持たせたので、摺動型物を省略できる。またフレキシブル基板６０−３を載置するために設置した取付板８０−３自体にクリック用弾接部８７を設け、このクリック用弾接部８７を回転つまみ３０−３の外周に設けたクリック係合部４３に係合させることでクリック機構を構成したのでクリック機構のために別途部品が増えることもない。また回転つまみ３０−３は固定部材１００−３によって取付板８０−３に固定されるので、回転つまみ３０−３を回動自在に固定するためにケース１０を利用する必要もない。つまりこの実施形態においては、回転つまみ３０−３と、フレキシブル基板６０−３と、フレキシブル基板６０−３を載置する取付板８０−３と、固定部材１００−３のみによってクリック機構付きの回転式電子部品１−３が構成でき、部品点数の削減が図れ、これによって薄型化が図れると同時に、組み立て工数も減って組み立て作業が容易になる。
【００５９】
なお上記各実施形態ではつば部４１にクリック係合部４３を設けたが、つば部４１を設けず、直接回転つまみ３０のつまみ本体３１の外周側面の側壁部３１ａにクリック係合部４３を設け、このクリック係合部４３を弾接部８９と係合させても良い。なおその場合、側壁部３１ａのクリック係合部４３はケース１０の開口１３内にあることが好ましい。また上記各実施形態ではつば部４１の外周側面にクリック係合部４３を設けたが、つば部４１の下面（取付板８０と対向する面）外周と弾接部８９とを係合させても良い。なお取付板８０は合成樹脂で構成しても良い。また上記第一，第二実施形態ではつば部４１の上面をケース１０の当接部１７に当接させたが、両者間に若干の間隙を設けても良い。この場合、回転つまみ３０，３０−２の回転動作がさらにスムーズになる。
【００６０】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では電気的機能部を、摺動子５０と摺接パターン６３，６３とを用いて構成したが、電気的機能部の構成は種々の変形が可能であり、要は回転つまみと基板との間に設置され、回転つまみの回転によってその電気的出力を変化する構造の電気的機能部であれば、どのような構造の電気的機能部であっても良い。また回転つまみ、ケース、基板（フレキシブル基板）、取付板、クリック機構の各部の形状、構造、材質に種々の変形が可能であることはいうまでもない。
【図面の簡単な説明】
【００６１】
【図１】本発明の第一実施形態にかかる回転式電子部品１−１の分解斜視図である。
【図２】回転式電子部品１−１の概略断面図である。
【図３】本発明の第二実施形態にかかる回転式電子部品１−２の分解斜視図である。
【図４】回転式電子部品１−２の概略断面図である。
【図５】本発明の第三実施形態にかかる回転式電子部品１−３の分解斜視図である。
【図６】回転式電子部品１−３の概略断面図である。
【符号の説明】
【００６２】
１−１  回転式電子部品（摺動式電子部品）
１０  ケース
１３  開口
１５  突出部
１７  当接部
１９  取付部
２１  ネジ止め穴
３０  回転つまみ（摺動つまみ）
３１  つまみ本体
３３  回転軸（摺動軸）
３５  摺動子取付部
４１  つば部
４３  クリック係合部（クリック機構）
４５  クリック用凹部（クリック機構）
５０  摺動子（電気的機能部）
６０  フレキシブル基板（基板）
６３  摺接パターン（電気的機能部）
６５  貫通孔
８０  取付板
８３  軸受穴
８７  クリック用弾接部（クリック機構）
８９  弾接部
１−２  回転式電子部品
１０−２  ケース
３０−２  回転つまみ
５０−２  摺動子
６０−２  フレキシブル基板（基板）
８０−２  取付板
２３  軸支部
２３１  内側面
１−３  回転式電子部品
１０−３  ケース
３０−３  回転つまみ
５０−３  摺動子
６０−３  フレキシブル基板（基板）
８０−３  取付板
１００−３  固定部材
【図１】
2005317740.tif 000003
【図２】
2005317740.tif 000004
【図３】
2005317740.tif 000005
【図４】
2005317740.tif 000006
【図５】
2005317740.tif 000007
【図６】
2005317740.tif 000008